(57)【要約】【課題】ベースプレートの剛性を確保しつつ、コストや重量を低減することができるキーボード装置及び該キーボード装置を備える電子機器を提供する。【解決手段】キーボード装置１０は、複数のプレート部材４０〜４２を並べて構成されたベースプレート３０と、ベースプレート３０の上面３０ａ側で上下動可能に支持される複数のキートップ２４と、ベースプレート３０の上面３０ａ側に取り付けられ、各キートップ２４が上下動可能に挿入される複数の孔部２８ａを有するフレーム２６と、隣接するプレート部材同士の対向する端面間に形成されたプレート境界部Ｂと重なる位置に設けられ、隣接するプレート部材同士をフレーム２６に対して同時に締結する締結具と、を備える。【選択図】図５Ｂ
2020197975.tif 000002
【特許請求の範囲】
【請求項１】
キーボード装置であって、
複数のプレート部材を並べて構成されたベースプレートと、
前記ベースプレートの上面側で上下動可能に支持される複数のキートップと、
前記ベースプレートの上面側に取り付けられ、各キートップが上下動可能に挿入される複数の孔部を有するフレームと、
隣接するプレート部材同士の対向する端面間に形成されたプレート境界部と重なる位置に設けられ、該隣接するプレート部材同士を前記フレームに対して同時に締結する締結具と、
を備えること特徴とするキーボード装置。
【請求項２】
請求項１に記載のキーボード装置であって、
前記プレート境界部は、当該キーボード装置の前後方向と左右方向とに折れ曲がったジグザグ形状を有し、前記隣接するプレート部材の一方には、前記ジグザグ形状による出隅部が形成されており、
前記締結具は、少なくとも前記出隅部を形成する前記プレート境界部と重なる位置に設けられていることを特徴とするキーボード装置。
【請求項３】
請求項１又は２に記載のキーボード装置であって、
前記隣接するプレート部材は、前記端面に切欠形状部をそれぞれ有すると共に、隣接するプレート部材の前記切欠形状部は、互いに対向するように配置され、
前記互いに対向する前記切欠形状部間に形成された隙間に、前記締結具が通されていることを特徴とするキーボード装置。
【請求項４】
請求項１〜３のいずれか１項に記載のキーボード装置であって、
前記締結具は、ねじ部と、頭部と有するねじであり、
前記ねじは、前記ねじ部が前記プレート境界部に通され、前記頭部が前記隣接するプレート部材のそれぞれに当接していることを特徴とするキーボード装置。
【請求項５】
請求項１又は２に記載のキーボード装置であって、
前記ベースプレートは、前記隣接するプレート部材同士をその並び方向に沿って所定のスライド範囲内でスライド可能に繋いだジョイント部を有し、
前記ジョイント部は、前記プレート境界部を跨ぐように設けられると共に、該プレート境界部を跨ぐ部分が前記締結具によって前記フレームと締結されていることを特徴とするキーボード装置。
【請求項６】
請求項１〜５のいずれか１項に記載のキーボード装置と、
前記キーボード装置を設けた本体筐体と、
前記本体筐体に対して回動可能に連結され、ディスプレイを有するディスプレイ筐体と、
を備えることを特徴とする電子機器。
【請求項７】
請求項６に記載の電子機器であって、
前記フレームは、前記本体筐体の上面を形成するカバー部材であり、
前記ベースプレートは、前記カバー部材に対して前記締結具で締結されることで、前記カバー部材の下面側に吊り下げられた状態で前記本体筐体に取り付けられていることを特徴とする電子機器。
【発明の詳細な説明】
【技術分野】
【０００１】
本発明は、キーボード装置及び該キーボード装置を備える電子機器に関する。
【背景技術】
【０００２】
ノート型ＰＣ等の電子機器に用いられるキーボード装置には、各キートップ間をフレームで仕切ったアイソレーション型構造がある。アイソレーション型のキーボード装置は、操作面をフラットに構成でき、外観品質が高い。また、このキーボード装置は、各キートップ間の隙間、つまりキートップとフレームとの間の隙間をアイソレーション型ではない一般的なキーボード装置よりも小さくできるため、ごみ等の落下も抑制できる。
【０００３】
本出願人は、特許文献１において、ベースプレートを複数のプレート部材で構成したキーボード装置を提案している。この構成によれば、ベースプレートが分割構造となっていることで、組付公差等によるキートップとフレームとの干渉を抑制しつつ、両者間の隙間を最小限に構成することを可能としている。
【先行技術文献】
【特許文献】
【０００４】
【特許文献１】特許第６４１２６２６号公報
【発明の概要】
【発明が解決しようとする課題】
【０００５】
上記特許文献１の構成では、ベースプレートとフレームとをラッチ嵌合部を介して固定している。このようなベースプレートとフレームとの固定強度をさらに向上させたい場合は、ラッチ嵌合部に代えて或いはラッチ嵌合部と共に、ねじやリベット等の締結具を用いることが考えられる。
【０００６】
ところで、上記のような分割構造のベースプレートでは、分割されたプレート部材の縁部は、キートップの押下操作時に沈み込み方向の負荷を受けるため、確実に固定できることが望ましい。ところが、キーボード装置は、各キートップのストロークに締結具が干渉することを防止する等の観点により、締結具の設置位置についての制限が多い。また、締結具の仕様本数が多過ぎるとコストや重量、作業効率等の点で問題がある。
【０００７】
本発明は、上記従来技術の課題を考慮してなされたものであり、ベースプレートの剛性を確保しつつ、コストや重量を低減することができるキーボード装置及び該キーボード装置を備える電子機器を提供することを目的とする。
【課題を解決するための手段】
【０００８】
本発明の第１態様に係るキーボード装置は、キーボード装置であって、複数のプレート部材を並べて構成されたベースプレートと、前記ベースプレートの上面側で上下動可能に支持される複数のキートップと、前記ベースプレートの上面側に取り付けられ、各キートップが上下動可能に挿入される複数の孔部を有するフレームと、隣接するプレート部材同士の対向する端面間に形成されたプレート境界部と重なる位置に設けられ、該隣接するプレート部材同士を前記フレームに対して同時に締結する締結具と、を備える。
【０００９】
前記プレート境界部は、当該キーボード装置の前後方向と左右方向とに折れ曲がったジグザグ形状を有し、前記隣接するプレート部材の一方には、前記ジグザグ形状による出隅部が形成されており、前記締結具は、少なくとも前記出隅部を形成する前記プレート境界部と重なる位置に設けられた構成としてもよい。
【００１０】
前記隣接するプレート部材は、前記端面に切欠形状部をそれぞれ有すると共に、隣接するプレート部材の前記切欠形状部は、互いに対向するように配置され、前記互いに対向する前記切欠形状部間に形成された隙間に、前記締結具が通された構成としてもよい。
【００１１】
前記締結具は、ねじ部と、頭部と有するねじであり、前記ねじは、前記ねじ部が前記プレート境界部に通され、前記頭部が前記隣接するプレート部材のそれぞれに当接した構成としてもよい。
【００１２】
前記ベースプレートは、前記隣接するプレート部材同士をその並び方向に沿って所定のスライド範囲内でスライド可能に繋いだジョイント部を有し、前記ジョイント部は、前記プレート境界部を跨ぐように設けられると共に、該プレート境界部を跨ぐ部分が前記締結具によって前記フレームと締結された構成としてもよい。
【００１３】
本発明の第２態様に係る電子機器は、上記構成のキーボード装置と、前記キーボード装置を設けた本体筐体と、前記本体筐体に対して回動可能に連結され、ディスプレイを有するディスプレイ筐体と、を備える。
【００１４】
前記フレームは、前記本体筐体の上面を形成するカバー部材であり、前記ベースプレートは、前記カバー部材に対して前記締結具で締結されることで、前記カバー部材の下面側に吊り下げられた状態で前記本体筐体に取り付けられた構成としてもよい。
【発明の効果】
【００１５】
本発明の上記態様によれば、ベースプレートの剛性を確保しつつ、コストや重量を低減することができる。
【図面の簡単な説明】
【００１６】
【図１】図１は、一実施形態に係るキーボード装置を備えた電子機器の平面図である。
【図２】図２は、キーボード装置の一部を拡大した平面図である。
【図３】図３は、キーボード装置の構成を模式的に示した一部拡大側面断面図である。
【図４Ａ】図４Ａは、ベースプレートの平面図である。
【図４Ｂ】図４Ｂは、図４Ａに示すベースプレートの上面にフレームの枠部を重ねた状態での平面図である。
【図５Ａ】図５Ａは、図４Ａ中の丸印ＶＡで囲んだ部分の平面図である。
【図５Ｂ】図５Ｂは、図５Ａに示すベースプレートをねじを用いてフレームに締結した状態での平面図である。
【図６Ａ】図６Ａは、ベースプレートの図５Ａに示す部分を上面側から見た斜視図である。
【図６Ｂ】図６Ｂは、ベースプレート３０の図５Ａに示す部分を下面側から見た斜視図である。
【図７】図７は、図５Ｂ中のＶＩＩ−ＶＩＩ線で示す模式的な断面図である。
【図８】図８は、位置決め嵌合部ベースプレートとフレームを位置決めした状態を模式的に示す平面図である。
【発明を実施するための形態】
【００１７】
以下、本発明に係るキーボード装置について、この装置を備える電子機器を例示して好適な実施の形態を挙げ、添付の図面を参照しながら詳細に説明する。
【００１８】
図１は、一実施形態に係るキーボード装置１０を備えた電子機器１２の平面図である。電子機器１２は、キーボード装置１０を搭載した本体筐体１４と、ディスプレイ１６を搭載したディスプレイ筐体１８とをヒンジ２０で回動可能に連結したノート型ＰＣである。図１は、ディスプレイ筐体１８を本体筐体１４から開いて使用形態とした状態での平面図である。キーボード装置１０は、ノート型ＰＣ以外の電子機器に搭載されてもよい。キーボード装置１０は、例えばデスクトップ型ＰＣに使用する外付けのキーボード装置であってもよい。
【００１９】
以下、キーボード装置１０について、図１に示すように電子機器１２に搭載されたキーボード装置１０を使用するユーザから見た状態を基準とし、手前側を前、奥側を後、厚み方向を上下、幅方向を左右と呼んで説明する。
【００２０】
本体筐体１４は、内部に図示しない基板、演算処理装置、ハードディスク装置、バッテリ装置等の各種電子部品を収容している。キーボード装置１０は、本体筐体１４の上面に露出するように設けられている。ディスプレイ１６は、例えば液晶ディスプレイである。ディスプレイ筐体１８は、その下端部が本体筐体１４の後端部とヒンジ２０を介して連結されている。
【００２１】
キーボード装置１０は、複数のキースイッチ２２を有する。キーボード装置１０は、各キースイッチ２２の操作面となるキートップ２４の周囲をフレーム（アイソレーションフレーム）２６で仕切ったアイソレーション型のキーボード装置である。
【００２２】
図２は、キーボード装置１０の一部を拡大した平面図である。図３は、キーボード装置１０の構成を模式的に示した一部拡大側面断面図である。図１〜図３に示すように、各キートップ２４は、隣接する他のキートップ２４との間がフレーム２６の枠部２８によって区画され、それぞれが独立した配置となっている。
【００２３】
フレーム２６は、樹脂や金属等で形成されている。フレーム２６には、複数の孔部２８ａが設けられている。枠部２８は、孔部２８ａを形成する部分であり、前後方向及び左右方向に沿って網目状を成している。各孔部２８ａの配列は、各キートップ２４の配列と一致している。各孔部２８ａには、各キートップ２４が上下動可能に挿入されている。フレーム２６は、その上面が本体筐体１４の上面及び各キートップ２４の操作面と略面一或いは多少低位置にある（図３参照）。本実施形態のフレーム２６は、本体筐体１４の上面を構成するカバー部材１４ａ（図１参照）と一体に形成されている。フレーム２６は、カバー部材１４ａと別体に構成されてもよい。
【００２４】
枠部２８は、孔部２８ａを形成する横枠２８ｂ及び縦枠２８ｃを有する。図１に示すように、各キースイッチ２２は、左右方向（横方向）には右前端位置を除いて原則１列に並んでいる。各キースイッチ２２は、前後方向（縦方向）には左右両端位置を除いて左右方向に位置ずれして並んでいる。つまり横枠２８ｂは右前端位置を除いて左右方向に延在している。一方、縦枠２８ｃは、左右両端位置を除いて前後方向と左右方向に折れ曲がったジグザグ形状となっている。
【００２５】
図３に示すように、キーボード装置１０は、複数のキースイッチ２２と、ベースプレート３０と、メンブレンシート３２と、バックライトシート３４とを備える。
【００２６】
各キースイッチ２２は、キートップ２４と、ガイド機構３６と、ラバードーム３８とを有する。ガイド機構３６は、キートップ２４をベースプレート３０の上面３０ａ側で上下動可能に支持するものである。ガイド機構３６は、キートップ２４の下面とベースプレート３０の上面３０ａとの間を連結するパンタグラフ機構である。ラバードーム３８は、シリコーンゴム等の可撓性を有する弾性材料で形成されたドーム形状部材であり、メンブレンシート３２とキートップ２４との間に配設されている。ラバードーム３８は、キートップ２４が押下された場合にメンブレンシート３２を押圧すると共に、キートップ２４の押下操作が解除された際にキートップ２４を元の位置に復帰させる弾性部材である。
【００２７】
ベースプレート３０は、各キースイッチ２２やフレーム２６の取付板である。ベースプレート３０は、例えば板厚０．３ｍｍのステンレス板やアルミニウム板等、金属製の板状部材に切り起こし成形や打ち抜き成形を施したものである。本実施形態のベースプレート３０は、長手方向（左右方向）で３分割された分割構造を有するが、詳細は後述する。
【００２８】
メンブレンシート３２は、ベースプレート３０の上面３０ａ側に積層されている。メンブレンシート３２は、例えば押圧された場合に接点が閉じる三層構造のスイッチシートである。メンブレンシート３２は、例えば固定接点及び可動接点が重なる位置が押圧された場合に、固定接点と可動接点とが密着することで接点を閉じるものである。メンブレンシート３２は各所に貫通孔を有し、この貫通孔を通してガイド機構３６や枠部２８がベースプレート３０の上面３０ａに着地する。メンブレンシート３２は、ベースプレート３０の下面３０ｂ側に積層されてもよい。
【００２９】
バックライトシート３４は、ベースプレート３０の下面３０ｂ側に積層されている。バックライトシート３４は、例えばＰＥＴやポリカーボネート、アクリル等の透光性を有する樹脂製の光ガイドプレート等を含み、その左右中央或いは左右端部にＬＥＤ素子等の光源を有する。バックライトシート３４は、光源から発せられた光を左右方向に導き、光反射面で反射して各キートップ２４を裏面から照射する。バックライトシート３４は省略されてもよく、この場合はバックライトシート３４に代えて防水シートを用いるとよい。
【００３０】
図４Ａは、ベースプレート３０の平面図である。図４Ｂは、図４Ａに示すベースプレート３０の上面３０ａにフレーム２６の枠部２８を重ねた状態での平面図であり、フレーム２６は２点鎖線で図示している。図５Ａは、図４Ａ中の丸印ＶＡで囲んだ部分の平面図である。図５Ｂは、図５Ａに示すベースプレート３０をねじ３９を用いてフレーム２６に締結した状態での平面図である。図６Ａは、ベースプレート３０の図５Ａに示す部分を上面３０ａ側から見た斜視図である。図６Ｂは、ベースプレート３０の図５Ａに示す部分を下面３０ｂ側から見た斜視図である。図７は、図５Ｂ中のＶＩＩ−ＶＩＩ線で示す模式的な断面図ある。
【００３１】
図４Ａ及び図４Ｂに示すように、ベースプレート３０は、長手方向（左右方向）に沿って３枚のプレート部材４０，４１，４２を並べて配置した分割構造である。本実施形態のベースプレート３０は、隣接するプレート部材４０，４１間及びプレート部材４１，４２間は、それぞれ複数のブリッジ部４４，４５で繋がれている。
【００３２】
プレート部材４０は、ベースプレート３０の左側部分を構成するプレートである。プレート部材４１は、ベースプレート３０の中央部分を構成するプレートである。プレート部材４２は、ベースプレート３０の右側部分を構成するプレートである。隣接するプレート部材４０，４１は、互いに対向する端面４０ａ，４１ａ間にプレート境界部Ｂを介して配置されている。同様に、隣接するプレート部材４１，４２は、互いに対向する端面４１ｂ，４２ａ間にプレート境界部Ｂを介して配置されている。プレート境界部Ｂは、隣接するプレート部材４０，４１間及びプレート部材４１，４２間の境界線である。本実施形態のプレート境界部Ｂは、端面４０ａ，４１ａ間及び端面４１ｂ，４２ａ間に形成された間隙である。
【００３３】
端面４０ａ，４１ａは、前後方向と左右方向に折れ曲がったジグザグ形状を描いて互いに対向している。同様に、端面４１ｂ，４２ａは、前後方向と左右方向に折れ曲がったジグザグ形状を描いて互いに対向している。つまり各プレート境界部Ｂは、前後方向と左右方向に折れ曲がったジグザグ形状で各プレート部材４０〜４２間を分割している。
【００３４】
各ブリッジ部４４，４５は、隣接するプレート部材４０，４１間及びプレート部材４１，４２間を、各プレート部材４０〜４２の並び方向（左右方向）に相対移動可能に繋いでいる。つまり隣接するプレート部材４０，４１間及びプレート部材４１，４２間は、ブリッジ部４４，４５を介してプレート境界部Ｂが左右に拡縮する方向に互いに相対移動可能に繋がれている。
【００３５】
ブリッジ部４４は、例えば１本のプレート境界部Ｂに対してそれぞれ５個或いは６個ずつ設けられている。ブリッジ部４４は、例えばプレート境界部Ｂに沿ってプレート部材４０，４１間及びプレート部材４１，４２間を切断する際、一部を切断せずに残した平面視略Ｚ字形状の幅狭プレートである。
【００３６】
図５Ａ及び図６Ａに示すように、ブリッジ部４４は、例えばプレート部材４１，４２の端面４１ａ，４２ａ間をＺ字形状に繋いだ弾性アーム４４ａを有する。弾性アーム４４ａは、一方の端面４１ａから対向する端面４２ａ側へと突出した後、隙間Ｇの延在方向に沿って延在し、続いて端面４２ａ側へと屈曲した板片である。プレート部材４０，４１間のブリッジ部４４についても、図５Ａ及び図６Ａに示すものと略同一の構成である。ブリッジ部４４は、弾性アーム４４ａが弾性変形することで、プレート部材４０，４１間及びプレート部材４１，４２間を互いに接離させる左右方向に沿って弾性変位可能に連結している。
【００３７】
ブリッジ部４５は、例えば１本のプレート境界部Ｂに対してそれぞれ６個ずつ設けられており、プレート境界部Ｂを左右方向に跨いでいる。ブリッジ部４５は、プレート境界部Ｂを構成するプレート部材４０，４１及びプレート部材４１，４２をそれぞれ切り起こして係合させた係合部である。
【００３８】
図６Ａ及び図６Ｂに示すように、ブリッジ部４５は、係合アーム４６と、アーム支持部４７とで構成されている。
【００３９】
係合アーム４６は、一方のプレート部材４２の一部を切り起こして１８０度反転させ、他方のプレート部材４１側へと突出させたものである。係合アーム４６は、プレート境界部Ｂを跨いで設けられ、先端側がアーム支持部４７と係合している。係合アーム４６は、アームベース４６ａと、第１係止部４６ｂとを有する。アームベース４６ａは、プレート境界部Ｂに配設される幅広な板部である。第１係止部４６ｂは、アームベース４６ａよりも先端側に設けられている。係合アーム４６の先端は、二股に分岐して２本の角状に突出しており、これら２本の角の先端間を繋いだ横板部分が第１係止部４６ｂとなる。
【００４０】
アーム支持部４７は、他方のプレート部材４１に設けられ、係合アーム４６を左右方向にスライド可能に支持する部分である。アーム支持部４７は、ガイド片４７ａと、第２係止部４７ｂとを有する。ガイド片４７ａは、プレート部材４１の一部を切り起こして１８０度反転させ、プレート部材４２側へと突出させたものである。ガイド片４７ａは、先細り形状の板片である。ガイド片４７ａは、第１係止部４６ｂの下に重ねて設けられ、第１係止部４６ｂの下面を支持している。第２係止部４７ｂは、プレート部材４１の一部を切り抜いて形成された横板である。第２係止部４７ｂは、係合アーム４６の上に重ねて設けられ、第１係止部４６ｂとアームベース４６ａとの間に介在している。これにより第２係止部４７ｂは、第１係止部４６ｂと端面同士で対向している。このように、アーム支持部４７は、ガイド片４７ａと第２係止部４７ｂとで係合アーム４６を上下に挟んでいる。
【００４１】
従って、ブリッジ部４５は、第１係止部４６ｂと第２係止部４７ｂとの間の端面間の隙間分だけ、プレート部材４１，４２間を左右方向にスライド可能な状態で繋ぐジョイント部である。つまりブリッジ部４５は、隣接するプレート部材４１，４２間を所定のスライド範囲内でスライド可能に連結している。図４Ａに示すように、ブリッジ部４５は左右反転構造であってもよく、この場合は係合アーム４６が他方のプレート部材４１側に設けられ、アーム支持部４７が一方のプレート部材４２側に設けられる。プレート部材４０，４１間のブリッジ部４５についても、図６Ａ及び図６Ｂに示すブリッジ部４５と略同一の構成である。
【００４２】
図４Ｂに示すように、ベースプレート３０は、プレート境界部Ｂがフレーム２６の枠部２８の下方に重なる位置に沿って設けられている。具体的には、プレート境界部Ｂは、孔部２８ａの下方を避けつつ、横枠２８ｂ及び縦枠２８ｃの下方を通過している。また、ブリッジ部４４，４５についても横枠２８ｂ及び縦枠２８ｃの下方に重なる位置に設けられる。これにより、各キートップ２４の上下動作にブリッジ部４４，４５が干渉することが防止されている。
【００４３】
図４Ａに示すように、ベースプレート３０の各所には、板厚方向に貫通した締結孔５０，５１，５２が形成されている。
【００４４】
締結孔５０は、各プレート部材４０〜４２の各所に多数形成されている。各締結孔５０は、それぞれフレーム２６の枠部２８の下方に重なる位置に形成されている。図３に示すように、各締結孔５０にはねじ３９のねじ部３９ａが通される。ねじ部３９ａは、枠部２８の下面に開口形成されたねじ穴２８ｄに螺合される。
【００４５】
図４、図５Ａ及び図６Ａに示すように、締結孔５１は、プレート境界部Ｂと重なる位置に複数形成されている。各締結孔５１は、隣接するプレート部材４１，４２の端面４１ａ，４２aにそれぞれ形成された半円形の切欠形状部５１ａ，５１ｂによって形成されている。つまり締結孔５１は、対向する切欠形状部５１ａ，５１ｂ間に形成された隙間と、プレート境界部Ｂによる隙間とを合わせた構造である。
【００４６】
図５Ｂ及び図７に示すように、各締結孔５１にはねじ３９のねじ部３９ａが通される。ねじ部３９ａは、枠部２８の下面に開口形成されたねじ穴２８ｄに螺合される。この際、ねじ３９は、頭部３９ｂが当該プレート境界部Ｂを形成する左右のプレート部材４１，４２の下面３０ｂに同時に当接する。その結果、当該キーボード装置１０は、１本のねじ３９が２枚のプレート部材４１，４２をフレーム２６に対して同時に締結した構造となる。なお、プレート部材４０、４１についても、その間のプレート境界部Ｂに設けられた締結孔５１により、上記したプレート部材４１，４２の場合と同様にねじ３９でフレーム２６に締結される。
【００４７】
図４、図５Ａ及び図６Ａに示すように、締結孔５２は、各ブリッジ部４５を構成する係合アーム４６のアームベース４６ａに形成されている。図５Ｂに示すように、各締結孔５２にはねじ３９のねじ部３９ａが通され、図７の構成例と同様に枠部２８のねじ穴２８ｄに螺合される。この際、ねじ３９は、頭部３９ｂがアームベース４６ａを下から上に押圧する。このため、ブリッジ部４５は、係合アーム４６がねじ３９で締結されることで、これを上下から挟み込んでいるアーム支持部４７も１本のねじ３９で同時にフレーム２６に締結される。具体的には、係合アーム４６がね３９で下から上に向かって押圧されることで、第１係止部４６ｂがその上面側にあるガイド片４７ａを押圧し、これにより各プレート部材４１，４２が同時にフレーム２６と締結される。なお、プレート部材４０、４１についても、その間のブリッジ部４５に設けられた締結孔５２により、上記したプレート部材４１，４２の場合と同様にねじ３９でフレーム２６に締結される。
【００４８】
図４Ａ及び図４Ｂに示すように、各プレート部材４０〜４２は、各所に位置決め嵌合部５４を有する。図８は、位置決め嵌合部５４でベースプレート３０とフレーム２６を位置決めした状態を模式的に示す平面図である。
【００４９】
図８Ａに示すように、位置決め嵌合部５４は、各プレート部材４０〜４２にそれぞれ複数設けられている。位置決め嵌合部５４は、プレート部材４０〜４２の一部を切り起こして上方へと起立させた板片である。位置決め嵌合部５４は、例えば左右方向に延びた幅寸法を有する。位置決め嵌合部５４は、枠部２８の下方に重なる位置に設けられ、枠部２８の下面に開口する嵌合凹部５６に嵌合する。これにより位置決め嵌合部５４は、各プレート部材４０〜４２を前後方向に対して所定範囲（例えば前後方向で合計０．１ｍｍ程度）内のがたつきで位置決めする。さらに位置決め嵌合部５４は、各プレート部材４０〜４２を左右方向に対して所定範囲（例えば左右方向で合計０．１ｍｍ程度）内のがたつきで位置決めする。なお、位置決め嵌合部５４は、少なくとも各プレート部材４０〜４２の左右方向略中央に設けられているとよい。本実施形態の場合、各プレート部材４０〜４２の中央の位置決め嵌合部５４は、例えばそれぞれ前後方向に沿って３個ずつ設けられている（図４Ａ参照）。
【００５０】
本実施形態のキーボード装置１０において、ベースプレート３０をフレーム２６に固定する際は、先ず、各プレート部材４０〜４２の位置決め嵌合部５４をフレーム２６の嵌合凹部５６に嵌合させる。そうすると、フレーム２６の嵌合凹部５６の位置に応じて、各プレート部材４０〜４２間の相対位置がブリッジ部４４，４５を介して変位しつつ、フレーム２６に対して位置決めされる。その際、各キートップ２４は、各孔部２８ａに挿入される。続いて、各締結孔５０〜５２を通してねじ３９をフレーム２６のねじ穴２６ｄに螺合させる。これにより各プレート部材４０〜４１がフレーム２６と締結され、キーボード装置１０の組付作業が完了する。
【００５１】
ところで、本実施形態のベースプレート３０は、プレート部材４０〜４２による分割構造となっている。このため、ベースプレート３０は、その長手方向（左右方向）での寸法公差を、各プレート部材４０〜４２のそれぞれの左右方向寸法に応じた値で設定できる。すなわち、短尺な各プレート部材４０〜４２のそれぞれの寸法公差は、ベースプレート３０を１枚の長尺板で構成する場合の寸法公差に比べて小さく設定することができ、寸法精度が向上する。例えばベースプレート３０が１枚板で左右寸法が３００ｍｍの場合、左右方向での寸法公差は０．２ｍｍ以上必要となるが、３分割構造の各プレート部材４０〜４２の左右方向での寸法公差は０．１〜０．１５ｍｍ程度でよい。また、各プレート部材４０〜４２間がブリッジ部４４，４５を介して並び方向に相対移動可能となっている。このため、フレーム２６の孔部２８ａと、各プレート部材４０〜４２に支持される各キートップ２４との間の隙間Ｃ（図２参照）は、上記した高精度の寸法公差に基づく大きさに設定可能である。その結果、各キートップ２４とフレーム２６との間の隙間Ｃを低減することができる。しかも、このような小さな隙間Ｃであってもキートップ２４がフレーム２６と干渉することを防止でき、その円滑な動作を確保することができる。
【００５２】
当該キーボード装置１０は、このような分割構造のベースプレート３０を備える。そこで、締結孔５１，５２に締結されるねじ３９は、隣接するプレート部材４０，４１（４１，４２）同士の対向する端面４０ａ，４１ａ（４１ａ，４２ａ）間に形成されたプレート境界部Ｂと重なる位置に設けられる。そして、締結孔５１，５２では、１本のねじ３９が隣接するプレート部材４０，４１（４１，４２）をフレーム２６に対して同時に締結している。
【００５３】
従って、当該キーボード装置１０によれば、ねじ３９は、１本で隣接するプレート部材４０，４１（４１，４２）の縁部を同時に固定できる。その結果、キーボード装置１０は、ねじ３９の使用数やねじ３９の締結作業の工数を低減できる。しかも、ねじ３９は、プレート境界部Ｂと重なる位置に配置される。このため、各プレート部材４０〜４２の縁部（端面４０ａ，４１ａ，４２ａに沿った部分）が高い剛性でフレーム２６に固定される。このため、当該キーボード装置１０は、キートップ２４のキートップの押下操作時に、各プレート部材４０〜４２の縁部が沈み込むことを抑制でき、高い操作感が得られる。また、ねじ３９が、各キートップ２４の上下動作に干渉することも防止されている。その結果、当該キーボード装置１０は、各キートップ２４のストロークを十分に確保しつつ、ベースプレート３０の剛性を確保できる。さらに当該キーボード装置１０は、コストや重量の低減も図ることができる。なお、ベースプレート３０をフレーム２６に締結する締結具としては、ねじ３９以外、例えばリベット等を用いてもよい。
【００５４】
特に、当該キーボード装置１０では、各キートップ２４の配列に従って、プレート境界部Ｂも前後方向と左右方向とに折れ曲がったジグザグ形状となっている。このため、各プレート部材４０〜４２の一部には、プレート境界部Ｂのジグザグ形状に沿って突き出した角部（出隅部Ａ）が形成されている（図４Ａ及び図５Ａ参照）。例えば図５Ａ中で細かな点を付した範囲が出隅部Ａとなる。この出隅部Ａは、その上部にキートップ２４が配置されるため、このキートップ２４が押下操作された際には下方への押圧力を受ける。その際、出隅部Ａは、その四周のうち、隣接する２辺がプレート境界部Ｂに面しているため、キートップ２４の押圧力によって下に沈み込む懸念が他の部分よりも大きい。ベースプレート３０の沈み込みが発生すると、キートップ２４がフカフカし、操作感が低下する。この点、当該キーボード装置１０は、この出隅部Ａの範囲に締結孔５１や締結孔５２を設け、これをねじ３９で固定している。このため、キートップ２４の押下操作時での出隅部Ａの沈み込みをも抑制でき、剛性の高い操作感を得ることができる。なお、締結孔５１，５２を持たない従来構成の場合、出隅部及びその近傍をねじ固定する際は、隣接するプレート部材間の縁部に、互いに対になる締結孔及びねじの設置スペースを確保する必要があり、構造上困難な場合も多い。
【００５５】
締結孔５１は、切欠形状部５１ａ，５１ｂを設けず、プレート境界部Ｂの隙間をそのまま利用したものでもよい。但し、切欠形状部５１ａ，５１ｂを設けない構成とした場合は、プレート境界部Ｂの幅を拡大させる必要が生じる。そうすると、ブリッジ部４４，４５による各プレート部材４０〜４２の連結強度の確保等が難しくなる懸念がある。このため、締結孔５１は、切欠形状部５１ａ，５１ｂを設けた構成が好ましい。
【００５６】
当該電子機器１２は、図３及び図７に示すように、ベースプレート３０をフレーム２６の下面側から締結する構造である。キーボード装置１０は、ベースプレート３０を介して本体筐体１４のカバー部材１４ａの下面側に吊り下げられた取付構造となる。このため、ベースプレート３０は、その下面３０ｂ側が本体筐体１４内で浮いた状態となり、その剛性の確保が一層重要となる。この点、当該キーボード装置１０は、各締結孔５０〜５２によるねじ３９の固定構造により、さらには出隅部Ａでの固定構造により、高い剛性が確保されている。
【００５７】
当該キーボード装置１０では、各プレート部材４０〜４２間がブリッジ部４４，４５を介して並び方向に相対移動可能となっている。このため、ベースプレート３０は、キーボード装置１０の製造時には１枚板として取り扱うことができ、製造効率が高い。各プレート部材４０〜４２は、ブリッジ部４４，４５で連結されず、完全に独立した構造でもよい。なお、この構成では、端面４０ａ，４１ａ間及び端面４１ｂ，４２ａ間に接触部分ができることもあり、この接触部分も含めてプレート境界部Ｂが形成されることになる。
【００５８】
なお、本発明は、上記した実施形態に限定されるものではなく、本発明の主旨を逸脱しない範囲で自由に変更できることは勿論である。
【００５９】
上記では、３枚のプレート部材４０〜４２でベースプレート３０を形成した構成を例示したが、プレート部材の設置数は２枚でも４枚以上でもよい。
【００６０】
上記では、ベースプレート３０の長手方向（左右方向）に沿ってプレート部材４０〜４２を並べた構成を例示したが、長手方向と共に又は長手方向に代えて短手方向（前後方向）に沿ってプレート部材を並べた構成としてもよい。なお、キーボード装置１０が平面視正方形の場合は、前後方向及び左右方向のいずれについても長手方向と言うことができ、前後方向及び左右方向のいずれか又は両方にプレート部材を並べた構成とするとよい。
【符号の説明】
【００６１】
１０  キーボード装置
１２  電子機器
１４  本体筐体
１４ａ  カバー部材
１６  ディスプレイ
１８  ディスプレイ筐体
２４  キートップ
２６  フレーム
２８  枠部
２８ａ  孔部
３０  ベースプレート
３９  ねじ
４０〜４２  プレート部材
４４，４５  ブリッジ部
４０ａ，４１ａ，４２ａ  端面
５０〜５２  締結孔
５１ａ，５１ｂ  切欠形状部
Ａ  出隅部
Ｂ  プレート境界部
【図１】
2020197975.tif 000003
【図２】
2020197975.tif 000004
【図３】
2020197975.tif 000005
【図４Ａ】
2020197975.tif 000006
【図４Ｂ】
2020197975.tif 000007
【図５Ａ】
2020197975.tif 000008
【図５Ｂ】
2020197975.tif 000009
【図６Ａ】
2020197975.tif 000010
【図６Ｂ】
2020197975.tif 000011
【図７】
2020197975.tif 000012
【図８】
2020197975.tif 000013